(57)【特許請求の範囲】
【請求項１】
「０」から「３」までの、または「１」から「３」までに空白を加えた目盛りを記した４位置を有し、１０日毎に少なくとも１段階進むように構成されて１０の位を表示する部材（８）と、２４時間毎に１段階進むように構成されて１の位を表示する部材（１０）を含む時計ムーブメント（Ｍ）のための日付機構であって、１の位の表示部材（１０）は３１位置を取ることができ、「０」から「９」まで連続して並ぶ目盛りが、３つ連続して取付けられており、その３つの目盛りの１つは変更形目盛りと呼ばれて「０」と「１」の間に追加の「１」が挿入されていることを特徴とする日付機構。
【請求項２】
前記１の位の表示部材（１０）は、駆動部材（１４）と協働する３１個の歯を有する第１歯部材（１２）と４つの歯を有する第２歯部材（１６）とが組み合わされており、４つの歯の３つは、１の位の表示部材（１０）の１つの目盛りの「０」から次の目盛りの「１」へ移動する時に前記１０の位の表示部材（８）を駆動する一方、４番目の歯は、変更形目盛りの追加の「１」から次の「１」へ移動する時に前記１０の位の表示部材（８）を駆動することを特徴とする請求項１記載の日付機構。
【請求項３】
前記１の位の表示部材（１０）は環状ディスクで形成されており、第１及び第２歯部材（１２、１６）は、異なった２平面上に設けられた内歯部材であることを特徴とする請求項１記載の日付機構。
【請求項４】
前記１０の位の表示部材（８）は前記１の位の表示部材（１０）の上方を移動し、表示すべき１の位の数字が見えるようにする空所を有することを特徴とする請求項２記載の日付機構。
【請求項５】
前記１の位の表示部材（８）は、前記第２歯部材と協働する４つのブランチを有する星形歯車（１８）と組み合わされた十字形の打ち抜きディスクで形成されていることを特徴とする請求項４記載の日付機構。
【請求項６】
前記１０の位の表示部材（８）及び星形歯車（１８）が回転可能に取り付けられた支持プレート（２２）を備え、前記支持プレート（２２）はさらに環状通路（３０）を設けており、前記１の位の表示部材（１０）はその環状通路に沿って移動することを特徴とする請求項５記載の日付機構。
【請求項７】
前記環状通路（３０）はリセス（３２）を含み、前記第１内歯部材（１２）はそのリセス内へ延びており前記駆動部材（１４）と協働することを特徴とする請求項６記載の日付機構。
【請求項８】
前記第１歯部材（１２）は前記第２歯部材（１６）より下方に延びていることを特徴とする請求項７記載の日付機構。
【発明の詳細な説明】
【０００１】
【発明の属する技術分野】
本発明は、時計ムーブメントのための日付機構、特に大きい日付数字を表示できる上記形式の機構に関する。
【０００２】
【従来の技術】
日付の数字を文字盤に形成された開口または窓から表示する従来の日付表示機構を備えた腕時計は、窓と、その窓から見える表示部材に記された数字が小さいために読むのが困難であるという欠点を伴っている。
【０００３】
歯が１つを除いてすべて切頭形であって毎日２回転する中間歯車を含むカレンダー時計のための大きい日付数字を表示する日付表示機構が、スイス特許第ＣＨ３４２，２７０号に示されている。非切頭形歯は、大きい窓から見える、日付の１の位の数字を記した２０個の歯を有する歯付きリングに作用する。これらの数字の各々は、歯車に２回連続で繰り返されている。このため、夜中の１２時に窓に現れる１の位の数字は、中間歯車の２回目の回転で日中の１２時に２番目の同一の数字に置き換えられ、この数字は次の夜中の１２時に消えて、次の１の位の数字が現れる。リングはさらに追加の歯を備えており、これは、１の位が２番目の「０」から１番目の「１」へ移動する時に、日付の１０の位の数字、すなわち「０」、「１」、「２」及び「３」を記した４つのブランチを有する星形歯車を１段階進める。
【０００４】
しかし、この機構では、月の最後のそれぞれ２８日、２９日及び３１日から翌月の１日へ移動するために、月の最後に１の位の表示用のリングと１０の位の表示用の星形歯車に作用する必要がある。このため、特に１の位の表示用のリングを付随移動させないで１０の位の表示用の星形歯車を１段階移動できるようにしなければならない複雑な補正機構を用いる必要がある。そのような機構には一般的に、１の位の表示リング用の断路歯車装置を用いる必要があり、これによってそのような機構が複雑になり、従ってそれらがさらに高コストになるとともにかさ高になる。
【０００５】
【発明が解決しようとする課題】
本発明の目的は、大きい日付数字を表示でき、従って読みやすいが、非常に簡単な手段だけを必要とすると共に、基本ムーブメントに対してほとんど製造変更を必要としないで組み込むことができる日付表示機構を提供することによって、上記従来技術の欠点を解決することである。
【０００６】
【課題を解決するための手段】
従って、本発明は、「０」から「３」までの、または「１」から「３」までに空白を加えた目盛りを記した４位置を有し、１０日毎に少なくとも１段階進むように構成されて１０の位を表示する部材と、２４時間毎に１段階進むように構成されて１の位を表示する部材を含む時計ムーブメントのための日付機構であって、１の位の表示部材は３１位置を取ることができ、「０」から「９」までを含む３つの連続目盛りが付けられており、これらの３つの目盛りの１つでは「０」と「１」の間に追加の「１」が挿入されていることを特徴とする。
【０００７】
これらの特徴の結果、本発明に従った日付機構は、大きい日付数字を表示できる一方、補正機構に作用しなくとも３１日の月の最後から翌月の１日へ移動することができる。３１日より少ない月の場合、月の最後から翌月の１日への移動は、従来の日付補正機構を用いて行われる。
【０００８】
本発明の好適な特徴によれば、１の位の表示部材は、駆動部材と協働する３１個の歯を有する第１歯部材及び４つの歯を有する第２歯部材と組み合わされており、これらの４つの歯の３つは、１の位の表示部材の１つの目盛りの「０」から次の目盛りの「１」へ移動する時に１０の位の表示部材を駆動するのに対して、４番目の歯は、変更形目盛りの追加の「１」から次の「１」へ移動する時に１０の位の表示部材を駆動する。
【０００９】
好適な実施態様によれば、１の位の表示部材は環状ディスクで形成されており、第１及び第２歯部材は、異なった２平面上に設けられた内歯部材である。
【００１０】
【発明の実施の形態】
本発明の他の特徴及び利点は、添付の図面を参照した非制限的な例である好適な実施例の以下の説明から明らかになるであろう。
【００１１】
図１に概略的に示されている時計は、参照番号１で示されている日付機構を備えている。時計は他の機構及び表示部材も備えている。しかし、これらは当該技術の専門家には周知であると共に、本発明に従った日付機構に直接的に関係ないため、それらについてはここでは説明しない。
【００１２】
やはり図１に示されているように、本実施形態による日付機構１を備えた時計は、６時の位置に並置された２つの窓４、６を設けた文字盤２を含む。別の実施形態ではこれらの窓を合体させて１つの大きい窓にすることができる。窓４は日付の１０の位の数字を示すことができ、窓６は日付の１の位の数字を示すことができるため、それらの相対位置によって「１」から「３１」までの数字を表示することができる。
【００１３】
図２に示されているように、これらの数字は２つの異なった表示部材８及び１０、すなわち１０の位の表示部材８と１の位の表示部材１０とで表される。このようにこれらの２つの部材８及び１０で日付、すなわち月の何日かを表示することによって、これらの部材８及び１０の各々に記されている数字のそれぞれの寸法を大きくして日付を読みやすくすることができる。
【００１４】
１０の位の表示部材８には、「０」から「３」までの、または「１」から「３」までに空白を加えた目盛りが付けられており、１０日毎に１段階進むように構成されている。１の位の表示部材１０には、「０」から「９」までを含む３つの連続目盛り１０ａ、１０ｂ及び１０ｃが付けられており、目盛り１０ｃは変更形目盛りと呼ばれ、「０」と「１」の間に追加の「１」が挿入されている。表示部材８は異なった４位置を取ることができるのに対して、表示部材１０は異なった３１位置を取ることができる。
【００１５】
図２ないし図４を参照すれば、１の位の表示部材１０は、３１個の歯を含む第１内歯部材１２と組み合わせた環状ディスクで形成されていることがわかる。基本ムーブメントＭに属する駆動フィンガ片の形状の駆動部材１４が従来通りに２４時間毎に１回転して、内歯部材１２に作用することによって環状ディスク１０を従来通りに駆動する。基本ムーブメントＭに取り付けられているジャンパーばねが内歯部材１２に作用して、非駆動時に環状ディスク１０を所定位置に保持する。１の位の表示部材１０は、４つの歯１６ａ、１６ｂ、１６ｃ及び１６ｄを含む第２内歯部材１６とも組み合わされている。これらの歯は環状ディスク１０の内周上に分散配置されており、１の位の表示部材１０の目盛り１０ａ、１０ｂ及び１０ｃの「０」から次の目盛りの「１」へ移動する毎に１０の位の表示部材８を駆動する。第４の歯１６ｄは、変更形目盛り１０ｃの追加の「１」からこの同じ目盛りの次の「１」へ移動する時に１０の位の表示部材８を駆動する。
【００１６】
特に図４を参照すれば、内歯部材１２及び１６は異なった２平面上に位置しており、内歯部材１６は１０の位の表示部材８に取り付けられた４つの歯を有する星形歯車１８と協働し、この星形歯車１８はジャンパーばね２０によって位置決めされていることがわかる。
【００１７】
図示の例では、１０の位の表示部材８は環状ディスク１０の上方を移動するようになっているが、下側の環状ディスク１０に付けられ、窓６から表示される１の位の数字を見えるように、表示箇所と表示箇所との間に空所を有している。好ましくは、１０の位の表示部材８は４つのブランチを有する十字形の打ち抜きディスクで形成され、ブランチにそれぞれ図示のように「０」、「１」、「２」及び「３」の数字を記すか、「１」、「２」、「３」の数字と空白にする。
【００１８】
本実施形態に従った機構はさらに、星形歯車１８、十字形の１０の位の表示部材８及び１の位を表示する環状ディスク１０のための支持プレート２２を備えている。この支持プレート２２は、本実施形態に従った日付機構を組み合わせた基本ムーブメントＭの表面に配置されている。さらに正確に言うと、星形歯車１８は、支持プレート２２の上表面２６に設けられたリセス２４内に回転可能に取り付けられており、星形歯車１８に取り付けられた十字形の１０の位の表示部材８は、やはり表面２６に、この表面とリセス２４の底部の間に位置するように形成された第２リセス２８内で広がっている。支持プレート２２はまた、その表面２６に機械加工された環状通路３０を備えており、これに沿って１の位の表示部材１０が移動する。この環状通路３０には、駆動フィンガ片１４と協働するように内歯部材１２が延びるリセス３２が設けられている。
【００１９】
次に、本実施形態に従った日付機構の作用を説明する。駆動フィンガ片１４は、２４時間毎に内歯部材１２に作用して、環状ディスク１０を１／３１回転分だけ前進させる。このため、例えば夜中の１２時に窓６に現れた日付の１の位の数字は、次の夜中の１２時になる時に次の数字に置き換えられる。
【００２０】
月の「１０日」、「２０日」及び「３０日」には、駆動フィンガ片１４が前述したように内歯部材１２に作用して、対応の１の位の目盛りの「９」を次の目盛りの「０」へ進め、内歯部材１６の歯１６ａ、１６ｂ及び１６ｃが星形歯車１８に作用して、１０の位の数字を同時にそれぞれ「０」から「１」へ、「１」から「２」へ、また「２」から「３」へ進める。
【００２１】
これに関連して言うと、図示の実施形態では、歯１６ａ、１６ｂ及び１６ｃはそれぞれ目盛り１０ａ、１０ｂ及び１０ｃの「８」の数字にほぼ面する位置にある。
【００２２】
「３０」から「３１」へ移動する時、駆動フィンガ片１４は前述したように通常は内歯部材１２に作用して、１の位の目盛り１０ｂの「０」を１の位の目盛り１０ｃの最初の「１」へ進めるが、この時には内歯部材１６の歯はいずれも星形歯車１８に作用しないため、十字形部材１０は移動しないで１０の位の「３」を表示している。
【００２３】
月の「３１」から翌月の「１」へ移動するとき、駆動フィンガ片１４は、前述したように通常通りに内歯部材１２に作用して、１の位の目盛り１０ｃの最初の「１」をこの同じ目盛りの２番目の「１」へ進める。同時に、内歯部材１６の歯１６ｄが星形歯車１８に作用して、１０の位の表示部材８に記されている数字の「３」を「０」か、空白表示面へ進める。
【００２４】
このように、本実施形態に従った日付機構は、十字形の１０の位の表示部材８が毎月４段階で１回転し、内歯部材１６の同じ歯は常に同じ数字の表示を行うのに対して、環状ディスクは３１日ごとに１回転するように構成されていることが理解される。
【００２５】
３１日まである月の場合、この月の最終日から翌月の「１日」へ移動するために、環状ディスク１０の内歯部材１２に直接的に作用する周知の滑りピニオン補正装置３４を使用することができる。この装置３４は、特に３つの歯を有する滑りピニオン３８と噛み合った歯車３６を含む。部分的に図示されている補正ステム４０の第１回転方向で、歯車３６がピニオン３８を駆動し、このピニオン３８は楕円形の穴（図示せず）内で案内されて環状ディスク１０の内歯部材１２と噛み合う。この時に環状ディスク１０は、目盛り１０ｃの２番目の「１」が窓６から見えるようにするために必要な段階数だけ時計回りに回転する。ステム４０を第１方向と反対の回転方向に作動させた時、従来通りにピニオン３８は内歯部材１２から解放される。本実施形態に従った日付機構は、大幅な変更を加えないで従来のムーブメントの日付補正装置を使用することができることに注意されたい。そのような補正機構を使用すれば、３１日より少ない月の最終日から翌月の１日へ手動で簡単かつ迅速に進めることができる。
【００２６】
本発明の範囲から逸脱することなく以上に記載した日付機構に対して一定の変更を加えることができるであろう。例えば、十字形の１０の位の表示部材８の回転軸線をムーブメントＭの中心の方へ移動させて、それが環状ディスク１０の上方で移動するのではなく、それと並んで移動するようにすることも考えられる。この場合、窓４はもちろん１２時と６時を通る軸線上で窓６の上方に位置することになる。
【図面の簡単な説明】
【図１】  本発明実施形態に従った日付機構を備えた時計の平面図である。
【図２】  本実施形態に従った日付機構の平面図である。
【図３】  １０の位の表示部材と１の位の表示部材を部分的に切り欠いた半分の平面図である。
【図４】  本実施形態に従った日付機構の図２のＩＩＩ−ＩＩＩ線に沿った部分断面図である。
【符号の説明】
８  １０の位の表示部材、  １０  １の位の表示部材
【図１】
0004307613.tif 000002
【図２】
0004307613.tif 000003
【図３】
0004307613.tif 000004
【図４】
0004307613.tif 000005